(57)【要約】【課題】衝撃が加わった場合の不具合を解消するとともに、読取動作や記憶動作の生産性の低下を防止すること。【解決手段】原稿画像をスキャナで読み取っている最中又は読み取った原稿画像（画像データ）をＨＤＤに記憶している最中に、スキャナ等に衝撃が加わった場合、衝撃が加わった際に読取動作又は記憶動作を実行した原稿画像（画像データ）を特定し、その原稿画像（画像データ）を操作表示部９等によりユーザーに対して可視像化して出力し、読み取った画像が正常か否か判断してもらう。【選択図】図６
2008022314.tif 000002
【特許請求の範囲】
【請求項１】
原稿画像を読み取って画像データを得る読取手段と、
衝撃を検知する衝撃検知手段と、
前記読取手段による原稿画像の読取動作中に前記衝撃検知手段により衝撃を検知した場合、衝撃が加わった際に前記読取手段において読取動作を実行した原稿画像から得られた画像データを特定する特定手段と、
前記特定手段により特定された画像データについて、当該画像データを可視像化してユーザーに対して出力する出力手段と、
を有することを特徴とする画像処理システム。
【請求項２】
原稿画像を読み取って画像データを得る読取手段と、
前記画像データを記録する記憶手段と、
衝撃を検知する衝撃検知手段と、
前記記憶手段による画像データの記憶動作中に前記衝撃検知手段により衝撃検知した場合、衝撃が加わった際に前記記憶手段において記憶動作を実行した画像データを特定する特定手段と、
前記特定手段により特定された画像データを前記記憶手段から読み出し、当該画像データを可視像化してユーザーに対して出力する出力手段と、
を有することを特徴とする画像処理システム。
【請求項３】
前記特定手段により特定された画像データに対応する原稿画像を前記読取手段により再度読み取った場合、再度読み取って得た画像データを、記録済みの画像データと差し替えて前記記憶手段に記憶させる制御手段を有する請求項２に記載の画像処理システム。
【請求項４】
前記出力手段による画像データの出力は、前記画像処理システム内の表示部に画像データに基づく可視像を表示することである請求項１乃至３の何れか１項に記載の画像処理システム。
【請求項５】
前記出力手段による画像データの出力は、画像データに基づく可視像をシート上に形成して出力することである請求項１乃至４の何れか１項に記載の画像処理システム。
【請求項６】
原稿画像を読み取って画像データを得る読取手段と、衝撃を検知する衝撃検知手段と、前記読取手段によって読み取った画像データについて、当該画像データを可視像化してユーザーに対して出力する出力手段、を有する画像処理システムに対して発生する不具合の処理を実行させる画像処理プログラムであって、
前記衝撃検知手段により衝撃を検知する検知工程と、
前記読取手段による原稿画像の読取動作中に前記衝撃検知手段により衝撃を検知した場合、衝撃が加わった際に前記読取手段において読取動作を実行した原稿画像から得られた画像データを特定する原稿画像特定工程と、
前記原稿画像特定工程により特定された画像データを出力手段により出力する出力工程と、
を前記画像処理システムに実行させることを特徴とする画像処理プログラム。
【請求項７】
原稿画像を読み取って画像データを得る読取手段と、当該画像データを記録する記憶手段と、衝撃を検知する衝撃検知手段と、前記読取手段によって読み取った画像データについて、当該画像データを可視像化してユーザーに対して出力する出力手段、を有する画像処理システムに対して発生する不具合の処理を実行させる画像処理プログラムであって、
前記衝撃検知手段により衝撃を検知する検知工程と、
前記記憶手段による画像データの記憶動作中に前記衝撃検知手段により衝撃を検知した場合、衝撃が加わった際に前記記憶手段において記憶動作を実行した画像データを特定する原稿画像特定工程と、
前記原稿画像特定工程により特定された画像データを出力手段により出力する出力工程と、
を前記画像処理システムに実行させることを特徴とする画像処理プログラム。
【請求項８】
前記画像処理システムは前記記憶手段を制御する制御手段を有し、
前記原稿画像特定工程により特定された画像データに対応する原稿画像を前記読取手段により再度読み取った場合、再度読み取って得た画像データを、記録済みの画像データと差し替えて、前記記憶手段に記憶させる記憶工程を前記画像処理システムに実行させる請求項７に記載の画像処理プログラム。
【請求項９】
前記出力手段による画像データの出力は、前記画像処理システム内の表示部に画像データに基づく可視像を表示することである請求項６乃至８の何れか１項に記載の画像処理プログラム。
【請求項１０】
前記出力手段による画像データの出力は、画像データに基づく可視像をシート上に形成して出力することである請求項６乃至９の何れか１項に記載の画像処理プログラム。
【請求項１１】
原稿画像を読み取って画像データを得る読取手段と、衝撃を検知する衝撃検知手段と、前記読取手段によって読み取った画像データについて、当該画像データを可視像化してユーザーに対して出力する出力手段、を有する画像処理システムにおいて発生する不具合の処理を実行する画像処理方法であって、
前記衝撃検知手段により衝撃を検知する検知工程と、
前記読取手段による原稿画像の読取動作中に前記衝撃検知手段により衝撃を検知した場合、衝撃が加わった際に前記読取手段において読取動作を実行した原稿画像から得られた画像データを特定する原稿画像特定工程と、
前記原稿画像特定工程により特定された画像データを出力手段により出力する出力工程と、
を有することを特徴とする画像処理方法。
【請求項１２】
原稿画像を読み取って画像データを得る読取手段と、当該画像データを記録する記憶手段と、衝撃を検知する衝撃検知手段と、前記読取手段によって読み取った画像データについて、当該画像データを可視像化してユーザーに対して出力する出力手段、を有する画像処理システムにおいて発生する不具合の処理を実行する画像処理方法であって、
前記衝撃検知手段により衝撃を検知する検知工程と、
前記記憶手段による画像データの記憶動作中に前記衝撃検知手段により衝撃を検知した場合、衝撃が加わった際に前記記憶手段において記憶動作を実行した画像データを特定する原稿画像特定工程と、
前記原稿画像特定工程により特定された画像データを出力手段により出力する出力工程と、
を有することを特徴とする画像処理方法。
【請求項１３】
前記画像処理システムは前記記憶手段を制御する制御手段を有し、
前記原稿画像特定工程により特定された画像データに対応する原稿画像を前記読取手段により再度読み取った場合、再度読み取って得た画像データを、記録済みの画像データと差し替えて、前記記憶手段に記憶させる記憶工程を有する請求項１２に記載の画像処理方法。
【請求項１４】
前記出力手段による画像データの出力は、前記画像処理システム内の表示部に画像データに基づく可視像を表示することである請求項１１乃至１３の何れか１項に記載の画像処理方法。
【請求項１５】
前記出力手段による画像データの出力は、画像データに基づく可視像をシート上に形成して出力することである請求項１１乃至１４の何れか１項に記載の画像処理方法。
【発明の詳細な説明】
【技術分野】
【０００１】
本発明は、原稿画像を読み取って画像データを得る読取手段を有する画像処理システム、画像処理プログラム及び画像処理方法に関するものである。
【背景技術】
【０００２】
オフィス等で使用されている複写機等の画像形成装置（画像処理システム）は、スキャナ（読取手段）により原稿画像を読み取り、読み取った画像をシート上に形成し出力している。また、一般家庭でパーソナルコンピュータ（ＰＣ）に接続して用いられるスキャナは、印刷された写真等の原稿画像を読み取り、読み取った画像をＰＣ内で編集する等の目的で用いられている。また、画像形成装置におけるスキャナやＰＣに接続されたスキャナで読み取って得た原稿画像の画像データは、大容量のハードディスク（ＨＤＤ）に記憶される。その後、この記憶済みの画像データを随時読み出してシート上に可視像化して出力したり、再度ＰＣ内で編集したりすることが広く行われている。
【０００３】
ところで、スキャナにおける原稿画像の読取動作は、撮像素子やレンズ等を移動させて実行するものであり、読取動作時に衝撃が加わると読取動作が正常に実行されず、読み取った画像が不良画像となる可能性がある。ＨＤＤに画像を記憶する場合でも同様であり、ＨＤＤへ画像を記憶させている最中に衝撃が加わると記憶動作が正常に実行されず、ＨＤＤに記憶した画像が不良画像となる可能性がある。
【０００４】
そこで、スキャナ等に加わる衝撃を検知した場合に、読取動作等を停止させるという技術が提案されている。特許文献１に記載の技術は、フィルムスキャナによるスキャンを行っている際に衝撃を検知するとスキャン動作を停止させるという技術である。特許文献１に記載の技術によれば、衝撃があった際に読取動作を停止するため、読み取った画像にムラやズレが発生しない。
【特許文献１】特開２０００−３６８８９号公報
【発明の開示】
【発明が解決しようとする課題】
【０００５】
しかし、特許文献１に記載の技術のように、衝撃があった場合に読取動作を停止させてしまうと、読取動作が一時的に滞ってしまうため、生産性の観点で好ましくない場合がある。例えば大量の原稿を自動且つ連続的にスキャナで読み取っている場合、一連の読取動作の初期段階で衝撃が加わり読取動作を停止させてしまうと、読取動作中にその場に居合わせないユーザーが後で気づいたときには、大半の原稿の読取動作が実行されていない状況となり、かなりの時間的なロスが発生してしまう。この点ではＨＤＤにおける記録動作中に衝撃があった場合でも同様のことがいえる。
【０００６】
また、別の観点で考えると、衝撃が加わったとしてもスキャナにおける読取動作やＨＤＤへの記憶動作に不具合が発生しない場合も考えられ、一概に読取動作等を停止させてしまうのは好ましくない。
【０００７】
そこで、本発明の目的は、衝撃が加わった場合の不具合と読取動作や記憶動作の生産性を考慮した画像処理システム及び画像処理プログラムを提供することにある。
【課題を解決するための手段】
【０００８】
上記目的を達成すべく、本発明に係る画像処理システムは、
原稿画像を読み取って画像データを得る読取手段と、
衝撃を検知する衝撃検知手段と、
前記読取手段による原稿画像の読取動作中に前記衝撃検知手段により衝撃を検知した場合、衝撃が加わった際に前記読取手段において読取動作を実行した原稿画像から得られた画像データを特定する特定手段と、
前記特定手段により特定された画像データについて、当該画像データを可視像化してユーザーに対して出力する出力手段と、
を有することを特徴とするものである。
【０００９】
また、本発明に係る画像処理システムは、
原稿画像を読み取って画像データを得る読取手段と、
前記画像データを記録する記憶手段と、
衝撃を検知する衝撃検知手段と、
前記記憶手段による画像データの記憶動作中に前記衝撃検知手段により衝撃検知した場合、衝撃が加わった際に前記記憶手段において記憶動作を実行した画像データを特定する特定手段と、
前記特定手段により特定された画像データを前記記憶手段から読み出し、当該画像データを可視像化してユーザーに対して出力する出力手段と、
を有することを特徴とするものである。
【００１０】
また、本発明に係る画像処理プログラムは、
原稿画像を読み取って画像データを得る読取手段と、衝撃を検知する衝撃検知手段と、前記読取手段によって読み取った画像データについて、当該画像データを可視像化してユーザーに対して出力する出力手段、を有する画像処理システムに対して発生する不具合の処理を実行させる画像処理プログラムであって、
前記衝撃検知手段により衝撃を検知する検知工程と、
前記読取手段による原稿画像の読取動作中に前記衝撃検知手段により衝撃を検知した場合、衝撃が加わった際に前記読取手段において読取動作を実行した原稿画像から得られた画像データを特定する原稿画像特定工程と、
前記原稿画像特定工程により特定された画像データを出力手段により出力する出力工程と、
を前記画像処理システムに実行させることを特徴とするものである。
【００１１】
また、本発明に係る画像処理プログラムは、
原稿画像を読み取って画像データを得る読取手段と、当該画像データを記録する記憶手段と、衝撃を検知する衝撃検知手段と、前記読取手段によって読み取った画像データについて、当該画像データを可視像化してユーザーに対して出力する出力手段、を有する画像処理システムに対して発生する不具合の処理を実行させる画像処理プログラムであって、
前記衝撃検知手段により衝撃を検知する検知工程と、
前記記憶手段による画像データの記憶動作中に前記衝撃検知手段により衝撃を検知した場合、衝撃が加わった際に前記記憶手段において記憶動作を実行した画像データを特定する原稿画像特定工程と、
前記原稿画像特定工程により特定された画像データを出力手段により出力する出力工程と、
を前記画像処理システムに実行させることを特徴とするものである。
【００１２】
また、本発明に係る画像処理方法は、
原稿画像を読み取って画像データを得る読取手段と、衝撃を検知する衝撃検知手段と、前記読取手段によって読み取った画像データについて、当該画像データを可視像化してユーザーに対して出力する出力手段、を有する画像処理システムにおいて発生する不具合の処理を実行する画像処理方法であって、
前記衝撃検知手段により衝撃を検知する検知工程と、
前記読取手段による原稿画像の読取動作中に前記衝撃検知手段により衝撃を検知した場合、衝撃が加わった際に前記読取手段において読取動作を実行した原稿画像から得られた画像データを特定する原稿画像特定工程と、
前記原稿画像特定工程により特定された画像データを出力手段により出力する出力工程と、
を有することを特徴とするものである。
【００１３】
また、本発明に係る画像処理方法は、
原稿画像を読み取って画像データを得る読取手段と、当該画像データを記録する記憶手段と、衝撃を検知する衝撃検知手段と、前記読取手段によって読み取った画像データについて、当該画像データを可視像化してユーザーに対して出力する出力手段、を有する画像処理システムにおいて発生する不具合の処理を実行する画像処理方法であって、
前記衝撃検知手段により衝撃を検知する検知工程と、
前記記憶手段による画像データの記憶動作中に前記衝撃検知手段により衝撃を検知した場合、衝撃が加わった際に前記記憶手段において記憶動作を実行した画像データを特定する原稿画像特定工程と、
前記原稿画像特定工程により特定された画像データを出力手段により出力する出力工程と、
を有することを特徴とするものである。
【発明の効果】
【００１４】
本発明に係る画像処理システム、画像処理プログラム及び画像処理方法によれば、衝撃が加わった場合の不具合を解消するとともに、読取動作や記憶動作の生産性の低下を防止することが出来る。
【発明を実施するための最良の形態】
【００１５】
図１は、本発明に係る画像処理システムの正面図である。
【００１６】
画像処理システム１は本体部Ａと後処理部Ｂからなり、シートＳ１上に画像を形成することが出来る。
【００１７】
本体部Ａは、画像形成部Ａ１、原稿搬送部Ａ２、及び画像読取部Ａ３を有する。原稿搬送部Ａ２にセットされた複数の原稿は、原稿搬送部Ａ２によって画像読取部Ａ３へ連続して搬送され、原稿画像は画像読取部Ａ３によって読み取られる。
【００１８】
画像形成部Ａ１において、ドラム状の感光体１の周囲に帯電部２、露光部３、現像部４、転写部５Ａ、分離部５Ｂ及びクリーニング部６が配置されており、帯電、露光、現像及び転写の各プロセスが実行され、シートＳ１にトナー像が形成される。トナー像が形成されたシートＳ１は定着部８を通過して定着処理される。定着処理されたシートＳ１は、排紙ローラ７Ｂから本体部Ａの外へ排出される。
【００１９】
また、本体部Ａには１５インチサイズ等の大画面の操作表示部（表示部）９が設置されており、画像処理システム１で実行する印刷動作の設定が可能である。
【００２０】
後処理部Ｂは、本体部Ａから送り出されたシートＳ１に対して製本動作、ステープル動作等、後処理動作を行う。後処理部ＢはシートＳ１を一旦集積し、操作表示部９により設定された部単位に出力可能であり、搬送経路の切替で排紙トレイＢ１又はＢ２に排出する。
【００２１】
なお、本実施形態における画像処理システム１は電子写真方式によりモノクロ画像を形成するものであるが、本発明に係る画像処理システムは本実施形態に限定されるものではなく、カラー画像形成装置であってもよいことは勿論のこと、その画像形成方式も電子写真方式以外のどのような画像形成方式であっても構わない。
【００２２】
図２は、図１で示した画像処理システム１の制御構成に関するブロック図であり、代表的な制御構成を示している。
【００２３】
制御手段として機能するＣＰＵ１００は画像処理システム１全体の動作を制御するものであり、システムバス１１２を介して、ＲＯＭ（Ｒｅａｄ  Ｏｎｌｙ  Ｍｅｍｏｒｙ）１０１やＲＡＭ（Ｒａｎｄｏｍ  Ａｃｃｅｓｓ  Ｍｅｍｏｒｙ）１０２等に接続されている。このＣＰＵ１００は、ＲＯＭ１０１に格納されている各種制御プログラムを読み出してＲＡＭ１０２に展開し、ＨＤＤ１０３等の各部の動作を制御する。また、ＣＰＵ１００は、ＲＡＭ１０２に展開したプログラムに従って各種処理を実行し、その処理結果をＲＡＭ１０２に格納するとともに操作表示部１０５上に表示させる。そして、ＲＡＭ１０２に格納した処理結果を所定の保存先に保存させる。
【００２４】
ＲＯＭ１０１は、プログラムやデータ等を予め記憶しており、磁気的、光学的記録媒体、若しくは半導体メモリで構成されている。本発明に係る画像処理プログラムはＲＯＭ１０１に記憶されており、当該プログラムにより所定の画像処理方法が実行される。
【００２５】
ＲＡＭ１０２は、ＣＰＵ１００によって実行される各種制御プログラムによって処理されたデータ等を一時的に記憶するワークエリアを形成する。
【００２６】
記憶手段として機能するＨＤＤ１０３は、画像読取部１０６で読み取って得た原稿画像の画像データを記憶したり、出力済みの画像データ等を記憶したりする機能を有する。磁性体を塗布または蒸着した金属のディスクを一定の間隔で何枚も重ね合わせた構造になっており、これをモーターで高速に回転させて磁気ヘッドを近づけてデータを読み書きする。
【００２７】
ネットワークインターフェイスカード（ＮＩＣ）１０４は、システムバス１１２とＬＡＮ等の外部ネットワークとのインターフェイスであり、ＮＩＣ１０４を介して画像形成装置１が外部端末と通信可能となっている。
【００２８】
表示部又は出力手段として機能する操作表示部１０５は各種の設定を可能にするものであり、操作表示部１０５を通じてユーザーが印刷動作を詳細に設定できる。また、ネットワーク設定の情報等、各種の情報が表示される。
【００２９】
読取手段として機能する画像読取部１０６は、原稿画像を光学的に読み取って電気信号に変換し、画像データを生成する。生成された画像データは、画像処理部１０７により処理が施され、画像形成部１０８に出力される。
【００３０】
画像形成部１０８は、画像処理部１０７により各種画像処理が施された画像データに基づいてシート上に画像形成（可視像の形成）を行う。
【００３１】
出力手段として機能するシート搬送部１０９は画像形成されたシートを排紙トレイＢ１又はＢ２の何れかに搬送する。シート搬送部１０９は部単位でシートを排出するため、排紙トレイＢ１又はＢ２の搬送方向上流側においてシートを集積し、１部に含まれるシートの集積が完了すると、排紙トレイＢ１又はＢ２に部単位で排出する。
【００３２】
衝撃検知手段として機能する衝撃検知センサ１１１は、ＨＤＤ１０３や画像読取部１０６に加わる衝撃を検知するものである。衝撃を検知する方法は、例えば衝撃を受けた時にピエゾ素子の歪みにより生成される電流を検知したりする方法や、加速度センサにより検知する方法が挙げられる。
【００３３】
図３はスキャナユニット２０をＰＣ１０に接続した画像処理システム１０を示す説明図である。
【００３４】
図３に示す画像処理システム１０は図１、図２で示した画像処理システムとは別の態様の画像処理システムであり、スキャナユニット３０に原稿をセットし、原稿画像を読み取る。スキャナユニット３０によって読み取られた原稿画像の画像データはスキャナユニット３０に接続されたＰＣ１０に取り込まれ、表示部又は出力手段として機能するディスプレイ２０Ａに表示されたり、ＰＣ１０においてハードウェア、アプリケーションを利用して画像編集等がなされたりする。図３におけるスキャナユニット３０は原稿を１枚ずつセットし読取動作を実行するが、図１で示した画像処理システム１の原稿搬送部Ａ２のように、複数の原稿を連続で搬送するものをスキャナユニット３０の上部に設置してもよい。そのようにすれば複数の原稿をスキャナユニット３０で連続して読み取ることが出来る。
【００３５】
図４は図３で示した画像処理システム１０の制御構成に関するブロック図であり、代表的な制御構成を示している。
【００３６】
ＰＣ２０及びスキャナユニット３０は各々ＣＰＵ２００、３００を有しており、ＣＰＵ２００、３００は各部の動作を制御している。本発明に係る画像処理プログラムはＲＯＭ２０１に記憶されている。
【００３７】
ＰＣ２０とスキャナユニット３０は通信部２０７、３０６を介して接続されており、読取手段として機能する画像読取部３０４で読み取った画像データは通信部３０６、２０７を介してＰＣ２０に取り込まれ、読み取られた画像はＨＤＤ２０３に記憶される。
【００３８】
ＰＣ２０における衝撃検知センサ２０６は、ＨＤＤ２０３に加わる衝撃を検知する。一方、スキャナユニット３０における衝撃検知センサ３０５は、画像読取部３０４に加わる衝撃を検知する。
【００３９】
以上説明したように、図１で示した画像処理システム１や図２で示した画像処理システム１０は、画像読取部によって原稿画像の読取動作が実行され、ＨＤＤにその原稿画像から得られた画像データが記憶される。なお、「画像処理システム」は、独立した各部が接続され、システム形式となっているものはもちろんのこと、例えば、図３に示すＰＣ２０とスキャナユニット３０が一体的となり、全体として一つの装置（画像処理装置）となっているものも含む概念である。
【００４０】
ところで、画像読取部における読取動作時に衝撃が加わると読取動作が正常に実行されず、読み取った画像が不良画像となる可能性がある。ＨＤＤに画像を記憶する場合でも同様であり、ＨＤＤへ画像を記憶させている最中に衝撃が加わると記憶動作が正常に実行されず、ＨＤＤに記憶した画像が不良画像となる可能性がある。この点を考慮し、衝撃を検知した場合に読取動作等を停止することも考えられるが、そのようにすると読取動作等が一時的に滞ってしまうため、生産性の観点で好ましくない場合があり得る。そこで、本発明に係る画像処理システムの動作に関して以下に説明する。
【００４１】
図５は衝撃が加わった場合の画像処理システムの動作に関するフローチャート図である。本フローチャートに従った動作は、ＣＰＵ１００がＲＯＭ１０１に格納された制御プログラムをＲＡＭ１０２に読み出して実行することにより実現されるものである。尚、この制御プログラムはＨＤＤ１０３に工場出荷時に格納されていてもよい。或いは、工場出荷時にＨＤＤ１０３に予め格納されなくとも、外部からＣＤ−ＲＯＭ、ＤＶＤ−ＲＯＭ等の媒体といった形態や、ＮＩＣ１０４経由で電子信号の形態で供給されてＨＤＤ１０３上にインストールされることによって旧バージョンの制御プログラムを新バージョンにバージョンアップする形態で実現されても良い。この場合、媒体形態や電子信号形態によって供給されるのは、旧バージョンの制御プログラムをＨＤＤ１０３上から削除して新バージョンの制御プログラムをインストールするプログラムや、旧バージョンの制御プログラムの一部を変更することで新バージョンの制御プログラムに変更するプログラムであってもよく、最終的にＨＤＤ１０３に格納される制御プログラムが以下の動作を実現さえすればよい。
【００４２】
まず、原稿画像の読取動作を開始し（ステップＳ１）、読み取って得た画像データをＨＤＤに記憶する動作を開始する（ステップＳ２）。次に衝撃を検知したかどうか判断する（検知工程としてのステップＳ３）。この検知は前述した画像処理システム内の衝撃検知センサにより実行する。衝撃を検知する動作は全原稿の読取動作が完了まで実行する（ステップＳ３、Ｓ４）。
【００４３】
衝撃を検知すると、まず画像読取部における衝撃を検知したかどうか判断する（ステップＳ５）。画像読取部における衝撃を検知したと判断すると、衝撃時に読み取った画像のページ番号を特定し記録する（原稿画像特定工程としてのステップＳ６）。例えば、画像読取部によって読み取られた画像データを１頁毎にカウンターでカウントし、衝撃を検知した時のカウント値をみればページ番号を特定出来る。
【００４４】
画像読取部における衝撃を検知したものではないと判断すると、次にＨＤＤにおける衝撃を検知したのかどうか判断する（ステップＳ７）。ＨＤＤにおける衝撃を検知したと判断すると、衝撃時にＨＤＤに記憶した画像のページ番号を特定・記憶し（原稿画像特定工程としてのステップＳ８）、ＨＤＤにおける衝撃を検知したと判断しないと、ステップＳ６、Ｓ８のようなページ番号を特定・記憶する動作を実行しない。ＨＤＤに記憶した画像のページ番号の特定は、ステップＳ６で説明した内容と同様に、例えばＨＤＤによって記憶された画像データを１頁毎にカウンターでカウントし、衝撃を検知した時のカウント値をみてページ番号を特定する。
【００４５】
全原稿の読取動作が完了しないと（ステップＳ９：Ｎｏ）、衝撃を検知したかどうかの判断を継続し（ステップＳ１０）、衝撃を検知した場合はステップＳ５〜Ｓ８の動作を繰り返す。一方、全原稿の読取動作が完了すると（ステップＳ９：Ｎｏ）、衝撃により画像処理部の読取動作やＨＤＤの記憶動作に不具合が生じている可能性があるため、その対処をするステップに移行する（ステップＳ１１〜Ｓ１４）。
【００４６】
まず、特定・記憶した画像があれば、その画像を表示したり、シート上に出力したりすることで画像データを可視像化し（出力工程としてのステップＳ１１）、当該画像が正常かどうかユーザーに判断してもらう（ステップＳ１２）。具体的に説明すると、図１における画像処理システム１であれば、操作表示部９に画像を表示したり、シートＳ１上に画像形成部Ａ１により画像を形成したりして出力する。図３に示す画像処理システム１０であれば、ＰＣ２０上のディスプレイ２０Ａに画像を表示する。図６は図１に示す画像処理システム１において特定・記憶したページ番号の画像を表示した操作表示部９の説明図である。細かな文字等を判別するため画像Ｇを操作表示部９に最大サイズで表示する。またページ番号も操作表示部９上に表示することが好ましい。このように大きな画像を表示することによって正常か否か容易に判断することが出来る。また、排紙トレイに排出されたシート上の画像をみて正常か否か判断し、その結果を操作表示部９に入力することでも構わない。
【００４７】
操作表示部９に表示された画像Ｇを見てユーザーが正常と判断すると（ステップＳ１２：Ｙｅｓ）、正常釦９Ａを押し、他に特定・記憶したページ番号が有るかどうか判断する（ステップＳ１４）。一方、操作表示部９に表示された画像Ｇを見てユーザーが正常ではないと判断すると（ステップＳ１２：Ｎｏ）、異常釦９Ｂを押し、ユーザーに判断した画像のページ番号の原稿を再度セットしてもらうように操作表示部９上で促し、ユーザーが正常ではないと判断した画像に関する原稿を再度読み取る動作を実行する（ステップＳ１３）。そして一度ＨＤＤに記憶した画像データと差し替えて、再度読み取った画像データを記憶する（記憶工程）。このようにすればすべて正常な画像データが記憶されていることとなる。再度の読取動作が完了すると他に特定・記憶したページ番号があるかどうか判断し（ステップＳ１４）、ある場合はステップＳ１１〜Ｓ１４を繰り返し実行する。
【００４８】
以上説明した通り、画像処理部の読取動作やＨＤＤの記憶動作の最中に衝撃が検知した場合でも、読取動作や記憶動作を継続することによって、生産性の低下を抑えることができる。また、衝撃が加わった場合の不具合に関しては、全原稿の読取動作が終了した後で、読取不良、記録不良の虞がある画像データを操作表示部９等によりユーザーに対して可視像化して出力し、正常ではないと判断したら再度読取動作や記憶動作を実行することにより衝撃時の不具合を解消することができる。
【００４９】
なお、図５に示すフローチャートでは読取動作及び記憶動作を双方に関して衝撃が発生したことを検知しているが、どちらかの動作に限って衝撃を検知するものでも良い。
【００５０】
また、本発明は当該実施の形態に限定されるものではなく、本発明の要旨を逸脱しない範囲における変更や追加があっても本発明に含まれる。
【図面の簡単な説明】
【００５１】
【図１】画像処理システム１の正面図である。
【図２】画像形成システム１の制御構成に関するブロック図である。
【図３】スキャナユニット２０をＰＣ１０に接続した画像処理システム１０を示す説明図である。
【図４】画像処理システム１０の制御構成に関するブロック図
【図５】衝撃が加わった場合の画像処理システムの動作に関するフローチャート図である。
【図６】画像処理システム１において特定・記憶したページ番号の画像を表示した操作表示部９の説明図である。
【符号の説明】
【００５２】
１  画像形成システム
Ａ  本体部
Ｂ  後処理部
９  操作表示部
１０  画像処理システム
２０  ＰＣ
３０  スキャナユニット
１００  ＣＰＵ
１０１  ＲＯＭ
１０２  ＲＡＭ
１０３  ＨＤＤ
１０５  操作表示部
１０６  画像読取部
１１１  衝撃検知センサ
２００  ＣＰＵ
２０３  ＨＤＤ
２０５  ディスプレイ
２０６  衝撃検知センサ
３００  ＣＰＵ
３０４  画像読取部
３０５  衝撃検知センサ
【図１】
2008022314.tif 000003
【図２】
2008022314.tif 000004
【図３】
2008022314.tif 000005
【図４】
2008022314.tif 000006
【図５】
2008022314.tif 000007
【図６】
2008022314.tif 000008